(57)【要約】【課題】棚板の強度を向上させることでき、さらには大きな衝撃が加わった場合であっても棚の組立体が崩れてしまうことがなく、物品をその位置に留めることができ、さらには、射出成形したときのヒケが露見することがなく、加えて非使用状態としたときの姿勢から脚部の取り外しを容易に行なうことができるプラスチック棚を提供する。【解決手段】プラスチック棚Ａであって、棚板の裏面には、リブにより主脚部１６を着脱自在に収容するための収容庫２１が画成されているとともに、これら収容庫２１を構成するリブ１８のうち、棚板の中心線近傍においては、２本のリブ１８ａ，１８ａが背中合わせに隣接して形成されていることを特徴とする。【選択図】  図４
2004180992.tif 000002
【特許請求の範囲】
【請求項１】
略矩形状に形成された棚板の少なくともコーナ部の下面に、連結脚部が形成されるとともに、このコーナ部の上面側に前記連結脚部の差込口が形成された棚板と、
前記棚板の前記差込口に着脱自在に差し込まれる主脚部と、により棚板ユニットが構成され、
この棚板ユニットを多段に組み合わせていくことにより構成されるプラスチック棚であって、
前記棚板の裏面には、リブにより前記主脚部を着脱自在に収容するための収容庫が画成されているとともに、これら収容庫を構成するリブのうち、前記棚板の中心線近傍においては、２本のリブが背中合わせに隣接して形成されていることを特徴とするプラスチック棚。
【請求項２】
前記主脚部には開口が形成されており、前記棚板ユニットを多段に、かつ水平方向に連設した場合に、水平方向に隣接しあう棚板ユニットの前記主脚部同士を、前記開口内に構成した連結手段により一体化することを特徴とする請求項１に記載のプラスチック棚。
【請求項３】
前記連結手段は、ボルトまたはピンであることを特徴とする請求項２に記載のプラスチック棚。
【請求項４】
前記棚板の縁部には、開口部形成用の脆弱部が形成されるとともに、予めピン部材を備えた背板が別体で用意され、この背板を前記棚板の縁部に沿って立設する場合は、前記脆弱部を打ち破ることにより前記背板のピン部材が差し込まれることを特徴とする請求項１に記載のプラスチック棚。
【請求項５】
前記棚板の裏面中央に設けた背中合わせの２本のリブに対応する棚板表面側に、凹溝が形成されていることを特徴とする請求項１に記載のプラスチック棚。
【請求項６】
前記棚板の裏面に画成された収容庫には、一方の側に平板状の突起が形成され、他方の側に爪が形成され、これら突起と爪とにより前記主脚部が着脱自在に収容されることを特徴とする請求項１に記載のプラスチック棚。
【発明の詳細な説明】
【０００１】
【発明の属する技術分野】
本発明は、工場や倉庫などで部品あるいは商品を保管するために、多段にかつ縦横方向に連設して使用されるプラスチック棚に関するものである。
【０００２】
【従来の技術】
一般に、物品を収容するための棚として、一旦組み付けたら、そのままの姿勢で使用される固定式のもの、あるいは、使用しないときは、棚板、脚などに分解して、コンパクトに保管できるものなどが知られている。
このうち、分解可能な簡易棚は、合成樹脂から形成されたものが多く、それらの棚は、スチール製の棚に比べて軽量であるとともに、一段ずつ組みつけていくので、必要に応じて何段にも増やすことができるといった利点がある（例えば、特許文献１参照）。
【０００３】
また、プラスチック棚では、コンパクト化の要求から、工場から出荷する場合、あるいは、非使用状態にして保管する場合は、これら棚板と脚部とは、コンパクトに一体化されている。
図７は、これらの部材をコンパクトに一体化して搬送用とした場合の構造を示したものである。
【０００４】
すなわち、略矩形平板状に形成された棚板２の裏面２ａには、所定高さのリブ１２が複数個立設され、互いに対面しあう一対のリブ１２間に、棚板２の別体で形成された脚部６を横にした姿勢で収容するための、略矩形空間からなる収容庫１１が形成されている。また、この収容庫１１内には、２つの爪４，４が裏面２ａから背中合わせに突出されている。
【０００５】
一方、この爪４，４により支持される脚部６には、横に寝かせたときに爪４，４が挿入される狭い幅の略矩形空間からなる開口１０が形成されている。また、この開口１０を構成する一対の側板は、爪４，４を係止する位置規制片８，８を構成している。
そして、一対の爪４，４を開口１０内に挿入し、これらの爪４を両側の位置規制片８，８に係止させることにより、脚部６が棚板２の裏面２ａに着脱自在に一体化される。なお、このような脚部６の姿勢は、出荷時あるいはプラスチック棚を保管する場合に採用される。
【０００６】
一方、脚部６を棚板２の裏面２ａから取り外す場合には、図７の状態から脚部６の一端部を軽く持ち上げながら、爪４，４をつかむなどして、爪４による係合を解除すれば、脚部６を棚板２から取り外すことができる。
【０００７】
【特許文献１】
実公昭６３−１４７００号公報（第１頁、第１図）
【０００８】
【発明が解決しようとする課題】
ところで、このように分解・組立が可能なプラスチック棚は、軽量化およびコストダウンのため、材料の肉厚を可及的に薄くし、原料コストを下げることが求められている。
そのため、従来のプラスチック棚は、肉厚を薄くする代わりに、棚板２の裏面２ａに所定間隔おきに板状のリブ１２を立設して、それらのリブ１２で強度不足を補っている。しかしながら、棚板２の中央部付近は、側縁部周辺と同じピッチのリブ１２では、荷重により変形し易く、軽量化との兼ね合いから改善が求められていた。
【０００９】
また、従来のプラスチック棚は、分解組立が容易である反面、組み立てられた場合に、隣接しあう棚ユニット同士は連結されていないため、仮に大きな衝撃が部分的に加わった場合などには、棚の一部が崩れてしまうという問題があった。さらに、従来のプラスチック棚は、棚板２の上面が、全面フラットに形成されているため、物品を置いた場合に、その物品が他の部材との衝突などで落下してしまうという問題もあった。
【００１０】
また、このような２つの爪４、４を背中合わせにして、その係合片４ａを位置規制片８、８に係止させる構造では、２つの爪４、４に、かなりの強度が必要となる。しかも、このような構造では、爪４，４をつまんで脚部６を取り外す場合にもかなりの力が必要で、取り外しが困難であるという問題があった。
また、棚板２の表面がフラットに形成されているため、射出成形されたときに、表面にヒケが発生し易く、ヒケが露見すると美観を損ねるという問題もあった。
【００１１】
本発明は、このような実情に鑑み、棚板の強度をコストを上げずに肉薄のまま向上させることでき、さらには縦横に並べられた棚板あるいは脚部などに、大きな衝撃が加わった場合であっても棚の組立体が崩れてしまうことがなく、また、仮に転がり安い部品を載置した場合であっても、その物品の落下を防止することができ、さらには、射出成形したときのヒケが露見することがなく、加えて非使用状態として、脚部を棚板の裏面にコンパクトに一体化して組み付けた場合であっても、脚部の取り外しを容易に行なうことができるプラスチック棚を提供することを目的としている。
【００１２】
【課題を解決するための手段】
上記目的を達成するための本発明に係るプラスチック棚は、
略矩形状に形成された棚板の少なくともコーナ部の下面に、連結脚部が形成されるとともに、このコーナ部の上面側に前記連結脚部の差込口が形成された棚板と、
前記棚板の前記差込口に着脱自在に差し込まれる主脚部と、により棚板ユニットが構成され、
この棚板ユニットを多段に組み合わせていくことにより構成されるプラスチック棚であって、
前記棚板の裏面には、リブにより前記主脚部を着脱自在に収容するための収容庫が画成されているとともに、これら収容庫を構成するリブのうち、前記棚板の中心線近傍においては、２本のリブが背中合わせに隣接して形成されていることを特徴としている。
【００１３】
係る構成による本発明によれば、中央部付近のリブの離間距離を他の部分での離間距離よりも短くしたため、一番強度が求められる付近の強度を向上させることができる。これにより、材料コストを上げずに、強度不足を補うことができる。
ここで、前記主脚部には開口が形成されており、前記棚板ユニットを多段に、かつ水平方向に連設した場合に、水平方向に隣接しあう棚板ユニットの前記主脚部同士を、前記開口内に構成した連結手段により一体化することもできる。
【００１４】
これにより、上下水平方向に多数組み立てられたプラスチック棚に、大きな衝撃が加わったとしても、水平方向の棚板ユニットが一体化されているため、その衝撃により組立体が部分的に倒れたり、崩れたりしてしまうことを防止することができる。
さらに、前記連結手段は、ボルトまたはピンであることが好ましい。
【００１５】
このような構成であれば、連結作業を容易に行なうことができる。また、仮に棚板と同じ材料からボルトまたはピンを形成すれば、これらをリサイクルする場合に、分別する必要がなく、効率的に再使用することができる。
また、前記棚板の縁部には、開口部形成用の脆弱部が形成されるとともに、予めピン部材を備えた背板が別体で用意され、この背板を前記棚板の縁部に沿って立設する場合は、前記脆弱部を打ち破ることにより前記背板のピン部材が差し込まれることが好ましい。
【００１６】
このような構成であれば、棚板から部品などが落下し易い場合に、必要に応じて脆弱部に孔をあけて、背板を設置することができるので、部品の滑落を容易に防止することができる。
さらに、前記棚板の裏面中央に設けた背中合わせの２本のリブに対応する棚板表面側に、凹溝が形成されていることが好ましい。
【００１７】
このような構成であれば、射出成形した樹脂の収縮によるヒケをこの溝により吸収することができるので、外部に露見することがなく、また、棚板表面からの排水性を溝により向上させることができる。
また、前記棚板の裏面に画成された収容庫には、一方の側に平板状の突起が形成され、他方の側に爪が形成され、これら突起と爪とにより前記主脚部が着脱自在に収容されることが好ましい。
【００１８】
このような構成であれば、背中合わせの２本の爪で係止する場合のように、大きな力を必要としないで、脚部の係合を解除することができる。また、脚部の一方の端部を平板状の突起に引っ掛けながら、他方の端部を回動させれば良いので、作業性が良好である。
【００１９】
【発明の実施の形態】
以下に、図面を参照しながら、本発明の本実施例について説明する。
図１は、本発明の一例として、上下方向に５段に組み込まれたプラスチック棚Ａと、プラスチック棚Ａを非使用状態として、折り畳んだときのプラスチック棚Ｂを並べて示したものである。
【００２０】
上下方向に５段に組み込んだプラスチック棚Ａは、略矩形状の棚板１４と、この棚板１４の各コーナ部に着脱自在に立設された主脚部１６とからなるもので、１枚の棚板１４と４本の主脚部１６とを１つの単位とされている。
すなわち、この棚板１４と主脚部１６とからなる棚板ユニットを、上下方向に５段組み合わせることにより、５段の棚Ａが構成されている。一方、プラスチック棚Ｂは、非使用状態の姿勢であるが、この場合は、主脚部１６が、棚板１４の下面に着脱自在に収容され、コンパクトに収容されている。
【００２１】
棚板１４は、図２（Ａ），（Ｂ）および図３に示したように、略矩形状の棚板本体１４ａと、この棚板本体１４ａのコーナ部下面に付設された、連結脚部１４ｂとから構成されている。そして、この連結脚部１４ｂの底面側およびその上面側は略中空状で、主脚部１６の差込口となっている。また、内方の中板１４ｃには、水抜き用の孔１４ｄが形成されている。
【００２２】
さらに、棚板本体１４ａの上面には、図２（Ａ）に示したように、略格子状に多数の凹溝２０が形成されている。また、棚板１４の左右方向の中心線近傍においては、２本の凹溝２０ａ、２０ａが平行に近接して形成されている。
一方、棚板本体１４ａの裏面側には、図３に示したように、多数のリブ１８が形成されている。これらのリブ１８は、図２（Ａ）に示した上面側の凹溝２０が形成された位置に略対応して形成されているが、棚板本体１４ａの短側壁Ｃ，Ｄを左右に配置した場合のこれらを連結する中心線上には、短側壁Ｃ，Ｄと平行な方向にリブ１８は形成されていない。また、図３において、左右方向の中心線近傍においては、２本のリブ１８ａ、１８ａが背中合わせに平行にかつ隣接して形成されている。
【００２３】
このようなリブ１８ならびにリブ１８ａを棚板本体１４ａに設けることにより、図３に示したように、左右方向に長い略矩空間からなる収容庫２１が４つ形成されている。そして、これらの収容庫２１に、各コーナ部に立設される４本の主脚部１６がそれぞれ横にした姿勢で収納される。これにより、図１に示したプラスチック棚Ｂのように、棚板本体１４ａに主脚部１６をコンパクトに一体化して収容することができる。
【００２４】
さらに、収容庫２１内には、主脚部１６を横にして収納したときに、位置ずれが生じないように、図３および図４に示したように、互いに対向する位置に一対の枕２６が２組形成されている。また、収容庫２１内には、底面から爪２２が立設されるとともに、爪２２の突出片２２ａに対面する方向のリブ１８に、平板状の突起２４が形成されている。そして、本実施例では、このような爪２２と突起２４とにより、主脚部１６を着脱自在に係止するための係止手段が構成されている。
【００２５】
一方、主脚部１６は、図５に示したように、その片面側がリブにより構成されている。そして、主脚部１６の両端部３０は、棚板本体１４ａの連結脚部１４ｂ内に挿入できるように、径が若干細く形成されている。さらに、主脚部１６の外側面には、孔３２，３２が対向して形成されている。また、図１にも示したように、主脚部１６の長さ方向の略中央部には、略矩形状の開口３４が形成されている。
【００２６】
このように形成された主脚部１６が、棚板本体１４ａの連結脚部１４ｂの例えば下面に装着されることにより棚板ユニットが構成されるとともに、この棚板ユニットが多段に重ね合わされることにより、例えば、５段のプラスチック棚Ａが形成される。なお、通常は、図１に示したプラスチック棚Ａが前後左右方向あるいは横一列などの態様をもって並べられる。
【００２７】
しかしながら、このように前後左右方向あるいは横一列などにプラスチック棚Ａが併設された場合には、一つ一つの棚Ａは、独立したものであるため、仮に、大きな振動が発生した場合や、一つの棚Ａに衝撃が加わった場合などには、その棚Ａが崩れてしまうことになる。そこで、本実施例によれば、隣接するプラスチック棚Ａの互いに隣りあう２つの主脚部１６同士を連結する構造が具備されている。その場合、主脚部１６に孔３２が形成されているため、互いに隣りあう２つの主脚部１６の孔３２，３２内に、ボルト、またはピンを挿入し、これらの連結手段により、２つの主脚部１６間、ひいては棚板本体１４間を連結することができる。この連結手段としては、ボルトまたはピン以外であっても良いが、この連結手段を樹脂から形成すれば、リサイクルする場合に分別する必要がなく、効率的である。
【００２８】
また、このような棚板１４と主脚部１６とを、プラスチック棚Ａのように多段に組み込まない場合には、主脚部１６を、図３および図４に示した棚板本体１４ａの裏面側に配置し、収容庫２１内に横に寝かせた状態で収納すれば良い。この場合に、主脚部１６の一端部３０を、図４に示した平板状の突起２４の下面に差し込むとともに、他方の端部３０を棚板本体１４ａ側に押し付ければ、爪２２を矩形状の開口３４内に差し込むことができる。この場合に、主脚部１６を若干、平板状の突起２４側にひきつけた姿勢で押し込むことが好ましい。これにより、主脚部１６を収容庫２１内に横にした状態に収めることができる。なお、主脚部１６の収納状態を解除する場合には、主脚部１６を平板状の突起２４側に、再度押し付けて他方の端部３０を持ち上げれば良い。これにより、主脚部１６を収容庫２１から取り外すことができる。
【００２９】
このように、本実施例によるプラスチック棚では、工場から出荷する場合、あるいは、非使用の状態に管理する場合などには、構成部品を紛失してしまう虞がなく、ユニット化してコンパクトに納めることができる。
また、本実施例によれば、棚板本体１４ａの表面側に多数の凹溝２０を形成したので、収縮によるヒケの発生を抑えることができる。また、収縮が発生してもこの凹溝２０内にヒケが吸収されるので、表面に露見することが防止される。
【００３０】
さらに、この凹溝２０が表面側に形成されていることにより、例えば水分の付着した物品を棚上に載置した場合であっても、その水分を凹溝２０内に導くことができる。これにより、部品等が水に浸ってしまうことが防止される。
また、仮に転がり易い物品あるいは壊れやすい部品などを載置したい場合には、図６に示したように、予め背の低い背板３６を用意し、この背板３６を棚板本体１４ａに着脱自在に設置することもできる。
【００３１】
なお、このような背板３６に、位置固定用のピンを一体に設けておくことが好ましい。また、棚板本体１４ａ側には、肉厚を部分的に薄くするなどして、表面側から目立つことのない脆弱部３８を設けておくことが好ましい。そして、必要に応じて、この脆弱部３８を壊すことにより、ピン差込用の孔を開ければ良い。このようにすれば、必要に応じて開口を設け、この開口に背板３６のピンを着脱自在に差し込むことができる。
【００３２】
以上、本発明の一実施例について説明したが、本発明は、上記実施例に何ら限定されない。
例えば、上記実施例では、主脚部１６は、コーナ部に１本づつ計４本、設けたが、これに加えて、棚板本体１４ａの長手方向に１本加えて、片側に３本とし、計６本とすることもできる。その場合には、棚板本体１４ａ側に６個の連結脚部１４ｂを設ける必要がある。
【００３３】
また、棚板本体１４ａの表面側に凹溝２０を設けることに加えて、シボ加工を施せば、摩擦抵抗が大きくなるので、物品の滑落を効果的に防止することができる。
【００３４】
【発明の効果】
以上説明したように、本発明に係るプラスチック棚では、棚板の中央部近傍に２本のリブが背中合わせに形成されているので、材料費をそれほどかけずに強度のみを向上させることができる。
また、主脚部に開口を設けておくことにより、これまで独立して縦横に並べられていた棚板ユニット同士を、ピンあるいはボルトなどで連結することができるので、衝撃により倒れることが防止される。
【００３５】
さらに、上記開口に形成される連結手段を、例えば、棚板と同じ材料の樹脂により形成すれば、リサイクルする場合に分別する必要がない。
また、棚板の側縁部に予め脆弱部を設けておき、必要に応じて、この脆弱部を壊すことにより、この孔を利用して背板を立てることができる。これにより、部品の転落を確実に防止することができる。
【００３６】
さらに、本発明では、主脚部を棚板の裏側に収納するにあたり、２つの爪を背中合わせに一組設けるのではなく、一つを爪とし、他方は、平板状の突起としたので、組み付け組み外しが容易である。
【図面の簡単な説明】
【図１】図１は本発明の一実施例に係る棚板を組み立てた状態と、折り畳んだ状態を並べて示す斜視図である。
【図２】図２（Ａ）は、図１に示した棚板本体上面図、図２（Ｂ）は、図２（Ａ）のＢ−Ｂ線方向の断面図である。
【図３】図３は図１に示した棚板本体の裏面図である。
【図４】図４は図３に示した収容庫を拡大して示した斜視図である。
【図５】図５は、本実施例による主脚部の斜視図である。
【図６】図６は本発明の他の実施例による棚板の斜視図である。
【図７】図７は従来例の棚板と脚部との収容状態を示した斜視図である。
【符号の説明】
１４    棚板
１４ａ  棚板本体
１４ｂ  連結脚部
１６    主脚部
１８    リブ
１８ａ  リブ
２０ａ  凹溝
２０    凹溝
２１    収容庫
２２    爪
２２ａ  突出片
２４    突起
２６    枕
３２    孔
３４    開口
３６    背板
３８    脆弱部
【図１】
2004180992.tif 000003
【図２】
2004180992.tif 000004
【図３】
2004180992.tif 000005
【図４】
2004180992.tif 000006
【図５】
2004180992.tif 000007
【図６】
2004180992.tif 000008
【図７】
2004180992.tif 000009